(57)【要約】【課題】乗り物の出入口側の座席の乗客は通路側に膝が出やすい。そのため、通路を通る人や、その人の荷物、さらには運搬用カート等に乗客の膝が接触する場合が生じ危険であるため、安全に座れるようにする。【解決手段】出入口側の座席の乗客の膝に当接する膝保護用ガードを前席背面通路側に設けるようにした。【選択図】      図１
2004175332.tif 000002
【特許請求の範囲】
【請求項１】
乗り物の出入口側の座席の膝保護用ガードにおいて、前記座席に座る乗客の膝が通路に出るのを規制するための、膝部に当接する保護用突起物からなることを特徴とする、乗り物の出入口側の座席の膝保護用ガード。
【請求項２】
前記保護用突起物を、前席背面通路側に設けたことを特徴とする、請求項１に記載の乗り物の出入口側の座席の膝保護用ガード。
【請求項３】
前記保護用突起物を、前席背面通路側に出没可能に設けたことを特徴とする、請求項１に記載の乗り物の出入口側の座席の膝保護用ガード。
【発明の詳細な説明】
【０００１】
【発明の属する技術分野】
本発明は、乗り物の座席の出入口側の座席の膝保護用ガードに関するものである。
【０００２】
【従来の技術】
従来、航空機等の出入口側の座席においては、座席の幅が狭いこともあってその座席に座った乗客は、体を通路側に向けて座ることが多い。また寝る場合などは、上体が座席の背もたれにかかり臀部が前にでるため、勢い脚が開きやすくなる。いずれの場合も通路側の膝が座席から通路に出やすくなるという状態になる。
【０００３】
【発明が解決しようとする課題】
このように、出入口側の座席の乗客の通路側の膝が通路に出ていると、通路を通る人や、その人の荷物、さらには客室乗務員の運搬用カート等に乗客の膝が接触する場合が生じ、接触する物の形状、硬さ、重さ、速度等によっては、座席に座っている人の膝にはかなりのダメージが与えられる。とくに膝の部分は、関節部であるため衝撃に弱く怪我をしやすい。
【０００４】
このような事情があるため、出入口側の座席の乗客が寝ようとする場合は、通路側の膝が通路に出ないように神経質になり、落ち着いて寝ることができなくなる。これは国際便などで、長時間座る場合などは、特に乗客に苦痛を与えることになる。
【０００５】
本発明は、このような危険を未然に防ぐとともに、乗客が安心して座席に座ったり寝たりすることができることを課題とするものである。
【０００６】
【課題を解決するための手段】
上記の課題を解決するために、本発明は出入口側の座席の乗客の通路側の膝に当接する膝保護用ガードを設けるものである。
【０００７】
第１の発明は、乗り物の出入口側の座席において、前記座席に座る乗客の通路側の膝が通路に出るのを規制するために、膝部に当接する保護用突起物を設けたことを特徴とする。
【０００８】
第２の発明は、第１の発明において、前記保護用突起物を前席背面通路側に設けたことを特徴とする。
【０００９】
第３の発明は、第１の発明において、前記保護用突起物を前席背面通路側に出没可能に設けたことを特徴とする。
【００１０】
【発明の作用および効果】
第１の発明では、乗り物の出入口側の座席に座った乗客が、座席の幅が狭い場合などに体を通路側に向けて座ったり、あるいは寝る場合などは上体が座席の背もたれにかかり臀部が前にでるため脚が開きやすくなり、通路側の膝が通路に出てしまうため通行人や、その荷物や、乗務員の運搬用カート等に膝が接触する恐れがあるが、膝が通路側に出るのを規制する膝部に当接する保護用突起物を設けたので、接触を防止できて危険が防げるとともに、安心して座りまた寝ることができるという作用効果がある。
【００１１】
第２の発明では、さらに前記保護用突起物を前席背面通路側に設けたので膝との位置が適切に保たれ、かつ極めて簡単な構造で安価に実現できるという作用効果がある。
【００１２】
第３の発明では、さらに前記保護用突起物を前席背面通路側に出没可能に設けたので、必要なときに出して使用できるため出入りの際邪魔にならず、極めて使い勝手が良いという作用効果がある。
【００１３】
【発明の実施の形態】
次に、実施態様の例として航空機用の座席に本件発明を適用した場合について説明する。
【００１４】
航空機用の座席、とくにエコノミークラスの座席は、乗客数を確保するため、座席の間隔はかなり狭くなっている。日本人の体格もよくなり、長い脚を持て余し、窮屈に座っている場合がよく見受けられる。したがって、長身の外国人の場合などはなおさらである。ファーストクラスやビジネスクラスの座席は、幅が広く、背もたれを倒して水平になって寝られるだけの前後のスペースも確保している。したがって膝が通路側に出る可能性は低いが、エコノミークラスの座席では、このような問題は解決されていないのが実情である。
【００１５】
このような場合、出入り口側の座席（１）に座る乗客は、体を通路（２）側に向けて座ることにより、窮屈さを少しでも解消しようとする。
【００１６】
また、国際線などの場合は、長時間にわたって搭乗するため、座席（１）で寝ることになるが、このような場合は、上体が座席（１）の背もたれ（３）にかかり臀部が前にでるため脚が開きやすくなる。
【００１７】
したがって、いずれの場合も通路（２）側の膝（４）が通路に出てしまう恐れがあるが、膝（４）を通路（２）に出したまま座っていたり、寝入ってしまうと、膝（４）が通路（２）を通る通行人の体に接触したり、その人の荷物に接触したり、場合によっては、客室乗務員の運搬用カート（５）に接触する恐れがある。
【００１８】
人間の体と接触する場合であっても、その人が足早に歩いている場合などは、接触の衝撃はばかにならず、まして硬い荷物などと接触すれば、膝（４）を痛めることは想像に難くない。
【００１９】
さらに、客室乗務員の運搬用カート（５）には、雑誌や飲物などが搭載されており、かなりの重量である。また、運搬用カート（５）の先端部はカートの上にある飲み物ボックス等により客室乗務員の死角になる。したがって、もし乗客の膝（４）が通路（２）側に出ていた場合は、この運搬用カート（５）が乗客の膝（４）に接触する可能性はかなり高いのである。この運搬用カート（５）に膝（４）が接触すれば相当な衝撃を膝に与え、膝（４）を損傷してしまう。特に、座っているのが子供の場合などは、そのダメージは大人の比ではなく将来にわたって影響を及ぼすことになる。
【００２０】
このように、狭い座席で、かつ通路（２）もせまい航空機内の出入口側の座席（１）で、通路（２）に膝（４）を出していることは、大変危険なことなのである。
【００２１】
本件発明では、このような危険を防止するため、一つの実施態様として、図１および図２に示すように、前席背面（６）通路（２）側に、ちょうど乗客の膝（４）が当たる位置に保護用突起物を設けた。
【００２２】
このようにすることにより、膝（４）が保護用突起物１（７）に規制され、それ以上膝（４）が通路（２）側に出ることを防ぐことができる。
【００２３】
また、この保護用突起物を出没可能に設けることもできる。たとえば図３に示すように、保護用突起物を折りたたみ可能に設けることができる。このようにすれば、出入りの際に保護用突起物２（８）を、折りたたんでおけば、移動の邪魔にならない。座席に座ったのち、折りたたんだ保護用突起物２（８）を戻して立てれば、膝の移動を規制することができる。
【００２４】
あるいは、図４に示すように、この保護用突起物を突起端部中心に回転可能に設けることもできる。このようにすれば、出入りの際には、保護用突起物３（９）を回転させて、保護用突起物３（９）が前席側に向くようにすれば、移動の邪魔にならない。座席に座ったのち、保護用突起物３（９）を自席側に回転させれば、膝（４）の移動を規制することができる。
【００２５】
あるいは、図５に示すように、この保護用突起物を前席背面に出入り可能に設けることもできる。
このようにすれば、出入りの際には、保護用突起物４（１０）を引っ込めておけば、移動の邪魔にならない。
座席に座ったのち、引っ込めた保護用突起物４（１０）を引き出せば、膝の移動を規制することができる。
【００２６】
もちろん、これらの実施例に限るものではなく、たとえば、自席の通路側の肘かけに、保護用突起物を出入り可能に設けてもよい。あるいは、自席の手前の床に固定した支持部材に棒状部材を設け、この先端部に保護用突起物を折りたたみ可能に設けてもよい。
【００２７】
また、上述の実施例において乗客の膝（４）の位置に合わせて、上下に移動できるようになっていてもよい。
あるいは、図６に示すように、比較的上下に長く構成して、膝から足首辺りまで保護用突起物５（１１）に当接するようにしてもよい。
【００２８】
いずれにせよ、本件発明の目的の範囲内で、さまざまな実施態様が考えられる。要は、乗客が座ったときに保護用突起物により、膝（４）が通路（２）側に出るのを規制する機能を持てばよい。
【００２９】
また、実施態様の説明では、航空機の座席の場合について説明したが、これに限るものではなく、本件発明の目的の範囲内で、さまざまな乗り物の座席に適用できることはもちろんである。
【図面の簡単な説明】
【図１】本件発明の実施態様の例を示す全体斜視図
【図２】本件発明の実施態様の保護用突起物の例
【図３】本件発明の実施態様の保護用突起物の他の例
【図４】本件発明の実施態様の保護用突起物の他の例
【図５】本件発明の実施態様の保護用突起物の他の例
【図６】本件発明の実施態様の保護用突起物の他の例
【符号の説明】
１  出入口側の座席
２  通路
３  背もたれ
４  膝
５  運搬用カート
６  前席背面
７  保護用突起物１
８  保護用突起物２
９  保護用突起物３
１０  保護用突起物４
１１  保護用突起物５
【図１】
2004175332.tif 000003
【図２】
2004175332.tif 000004
【図３】
2004175332.tif 000005
【図４】
2004175332.tif 000006
【図５】
2004175332.tif 000007
【図６】
2004175332.tif 000008